(57)【要約】【課題】造形物用紙の切断端面の殆どが、黒または暗色となって目立たず、遮光性に優れ、造形物の外観上の体裁が良好となり、完成度の高い造形物の作成が可能となる造形物用紙を提供する。【解決手段】インクジェット方式のプリンターによって所望の形状や色彩等の画像データが出力可能となる用紙であって、反射濃度１．２以上の黒または暗色となるように用紙基材１を形成し、用紙基材１の少なくとも片面にインクジェットプリンターで画像形成可能な白色層２を設け、白色層２の表面にインク受容層３を設ける。【選択図】        図１
2004175404.tif 000002
【特許請求の範囲】
【請求項１】
インクジェット方式のプリンターによって所望の形状や色彩等の画像データが出力可能となる用紙であって、反射濃度１．２以上の黒または暗色となるように用紙基材を形成し、この用紙基材の少なくとも片面にインクジェットプリンターで画像形成可能な白色層２を設け、この白色層の表面にインクジェットプリンターにより画像が形成されるインク受容層を設けたことを特徴とするインクジェット出力用造形物用紙。
【請求項２】
白色層を、白色インキや銀インキ等を用いた印刷手段によって設けたことを特徴とする請求項１記載のインクジェット出力用造形物用紙。
【請求項３】
用紙基材を反射濃度１．２以上に着色された繊維素材で構成し、白色層をインクジェットプリンターで画像形成可能な白色度を有する繊維素材で構成したことを特徴とする請求項１記載のインクジェット出力用造形物用紙。
【請求項４】
インクジェット方式のプリンターによって所望の形状や色彩等の画像データが出力可能となる用紙であって、反射濃度１．２以上の黒または暗色となる繊維素材で形成される用紙基材と、インクジェットプリンターで画像形成可能な白色度を有する繊維素材で形成される白色層とを、接着層を介して積重し、白色層表面にインクジェットプリンターにより画像が形成されるインク受容層を設けたことを特徴とするインクジェット出力用造形物用紙。
【発明の詳細な説明】
【０００１】
【発明の属する技術分野】
本発明は、主に、コンピュータを利用して作成された所望の形状や色彩等からなるペーパークラフトを代表とした造形物の画像データを、インクジェット方式のプリンターによって画像形成（印刷）可能となるように形成した造形物用紙に係り、所望の画像データに基づいて画像形成（印刷）後、造形物として完成されたときに、その切断端面部分が目立たず、遮光性に優れ、外観上の体裁が良く、完成度の高い造形物を作成できるように工夫したインクジェット出力用造形物用紙に関するものである。
【０００２】
【従来の技術】
従来、この種の造形物用紙としては種々のものが提供されており、例えば、特許文献１のペーパークラフト用紙のように、コンピュータ上で作成したペーパークラフトのデザインをインクジェット方式のプリンターによって出力（印刷）できるようにしたものがある。
【０００３】
【特許文献１】
特開２００２−２６４４７５（図１）
【０００４】
【発明が解決しようとする課題】
ところが、前述の如きペーパークラフト用紙にあっては、出力（印刷）されたデザインに沿って用紙を切断すると共に、これを組立てた時に、その切断端面部分が白く現出し、この部分が目立つようになり、外観上の体裁が損なわれる難点があった。ひいては、完成度の高い造形物の作成が難しいものとなっていた。
【０００５】
【課題を解決するための手段】
そこで、本発明は、前述の如き難点等を解消し、造形物用紙を切断した時の切断端面部分の殆どが、黒または暗色となって目立たず、造形物の外観上の体裁が良好となり、より完成度の高い造形物の作成が可能となるようにし、しかも、構成が簡素で、量産に適し、低廉に提供でき、取扱いが容易で、耐久性に優れた造形物用紙を提供できるようにすべく創出されたものである。
【０００６】
しかして、請求項１記載の造形物用紙にあっては、インクジェット方式のプリンターによって所望の形状や色彩等の画像データが出力可能となる用紙であって、反射濃度１．２以上の黒または暗色となるように用紙基材１を形成し、この用紙基材１の少なくとも片面にインクジェットプリンターで画像形成可能な白色層２を設け、この白色層２の表面にインクジェットプリンターにより画像が形成されるインク受容層３を設ける手段を採用した。
【０００７】
また、請求項２記載の造形物用紙にあっては、白色層２を、白色インキや銀インキ等を用いた印刷手段によって設ける手段を採用した。
【０００８】
更に、請求項３記載の造形物用紙にあっては、用紙基材１を反射濃度１．２以上に着色された繊維素材で構成し、白色層２をインクジェットプリンターで画像形成可能な白色度を有する繊維素材で構成する手段を採用した。
【０００９】
そして、請求項４記載の造形物用紙にあっては、インクジェット方式のプリンターによって所望の形状や色彩等の画像データが出力可能となる用紙であって、反射濃度１．２以上の黒または暗色となる繊維素材で形成される用紙基材１と、インクジェットプリンターで画像形成可能な白色度を有する繊維素材で形成される白色層２とを、接着層４を介して積重し、白色層２表面にインクジェットプリンターにより画像が形成されるインク受容層３を設ける手段を採用した。
【００１０】
【発明の実施の形態】
以下、本発明を図示例に基づいて説明すると、次の通りである。
本発明は、主に、パーソナルコンピュータ等を利用して作成された所望の形状や色彩等からなる造形物用の適宜画像データを、インクジェット方式のプリンターを用いて出力（印刷）可能とした造形物用紙である。
しかも、このインクジェット出力用造形物用紙は、反射濃度１．２以上の黒または暗色に形成されると共に、その切断端面も黒または暗色となるような用紙基材１と、この用紙基材１の少なくとも一方の表面全体に亙って覆うように形成される白色層２と、この白色層２の表面に印刷或いはコーティングされる透明なインク受容層３とによる三層構造としたものである。
【００１１】
そして、前記用紙基材１は、例えば、適宜紙材や、適宜合成樹脂材や、適宜複合材等によって、シート状に形成されており、しかも、その厚みが０．２３ｍｍ以上で、簡単に変形しない程度の強度や剛性等を備えたものが利用される。
すなわち、糊付、組立てが終った造形物自体の強度等が十分あり、時間の経過と共に簡単に変形したりすることがないものが望ましい。
また、用紙基材１は、用紙製造工程に於いて、繊維素材を反射濃度１．２以上に着色しておいてから構成したものであっても良い。
【００１２】
前記白色層２は、例えば、白色、或いは適宜色彩に形成することができ、用紙基材１の一方（或いは、両方）の表面全体に亙って覆うように形成されている。
すなわち、白色層２は、インクジェット方式のプリンターを用いて出力（印刷）される造形物用の画像データが、綺麗に現出するように白色を採用したり、或いは、よりカラフルで楽しめるように適宜色彩のものを採用したりすることができる。
また、白色層２は、白色インキや銀インキ等を用いた印刷手段によって設けることができる。
加えて、白色層２は、用紙製造工程に於いて、インクジェットプリンターで画像形成可能な白色度を有する繊維素材から構成したものであっても良い。
【００１３】
しかも、白色層２の厚みは、用紙基材１の厚みの約１／７以下となるように形成されている。
すなわち、造形物用紙を切断した時の切断端面の殆どが、用紙基材１の切断端面である黒または暗色となって、白色層２の切断端面部分が目立たず、造形物の外観上の体裁が良好となって、完成度の高い造形物の作成が可能となるように形成してある。
【００１４】
インク受容層３は、例えば、コロイダルシリカを主成分とし、しかも、透明で、白色層２が外部から容易に視認でき、インクジェット方式のプリンターによる画像データが綺麗に出力できるものが利用される。
【００１５】
尚、前記用紙基材１と白色層２とは、図２に示すように適宜接着層４を介して積重したものであっても良い。
【００１６】
ところで、造形物用紙の具体的構成、形状、寸法、材質、用紙基材１の具体的構成、形状、寸法、材質、白色層２の具体的構成、形状、寸法、材質、インク受容層３の具体的構成、形状、寸法、材質等は図示例のもの等に限定されることなく適宜自由に設定、変更できるものである。
【００１７】
本発明の造形物用紙は、前述の如く構成されており、次にその使用例について説明すると、先ず、パーソナルコンピュータ等を利用して所望の形状や色彩等からなる造形物用の適宜画像データを作成する（或いは、予め作成された造形物用の適宜画像データを用いる。）。
そして、前記画像データを、インクジェット方式のプリンターを用いて、本発明の造形物用紙のインク受容層３の表面に出力（印刷）する。
それから、画像データに沿って造形物用紙を切断すると共に、適宜折曲げ、糊付け等を行って、所望の造形物を完成させる。
【００１８】
【発明の効果】
従って、請求項１記載の造形物用紙は、インクジェット方式のプリンターによって所望の形状や色彩等の画像データが出力可能となる用紙であって、反射濃度１．２以上の黒または暗色となるように用紙基材１を形成し、この用紙基材１の少なくとも片面にインクジェットプリンターで画像形成可能な白色層２を設け、この白色層２の表面にインクジェットプリンターにより画像が形成されるインク受容層３を設けたので、造形物用紙を切断した時の切断端面の殆どが、黒または暗色となって目立たず、遮光性に優れ、造形物の外観上の体裁が良好となり、より完成度の高い造形物の作成が可能となる。
特に、遮光性に優れたものとなることで、造形物が完成した時に、例えば、糊代部分の境目等が表がわに透けて現れるような虞れのないものとなる。
【００１９】
また、請求項２記載の造形物用紙は、白色層２を、白色インキや銀インキ等を用いた印刷手段によって設けたので、白色層２を簡単に設けられるようになる。
【００２０】
更に、請求項３記載の造形物用紙は、用紙基材１を反射濃度１．２以上に着色された繊維素材で構成し、白色層２をインクジェットプリンターで画像形成可能な白色度を有する繊維素材で構成したので、用紙基材１と白色層２を簡単に設けられるようになる。
【００２１】
そして、請求項４記載の造形物用紙は、インクジェット方式のプリンターによって所望の形状や色彩等の画像データが出力可能となる用紙であって、反射濃度１．２以上の黒または暗色となる繊維素材で形成される用紙基材１と、インクジェットプリンターで画像形成可能な白色度を有する繊維素材で形成される白色層２とを、接着層４を介して積重し、白色層２表面にインクジェットプリンターにより画像が形成されるインク受容層３を設けので、造形物用紙を切断した時の切断端面の殆どが、黒または暗色となって目立たず、遮光性に優れ、造形物の外観上の体裁が良好となり、より完成度の高い造形物の作成が可能となる。
特に、遮光性に優れたものとなることで、造形物が完成した時に、例えば、糊代部分の境目等が表がわに透けて現れるような虞れのないものとなる。
【図面の簡単な説明】
【図１】本発明のインクジェット出力用造形物用紙を例示する部分断面図である。
【図２】本発明の他のインクジェット出力用造形物用紙を例示する部分断面図である。
【符号の説明】
１      用紙基材                      ２      白色層
３      インク受容層                  ４      接着層
【図１】
2004175404.tif 000003
【図２】
2004175404.tif 000004